(57)【特許請求の範囲】
【請求項１】
ボンベ（Ｂ）の側面に設けられているプラグ（１０）に嵌合させて、気体又は液体が挿入されているゴムホース（６０５）に接続されている接続治具（６００）を介して前記気体又は液体を前記ボンベ（Ｂ）に充填する手動型の充填器であって、
後端部に前記接続治具（６００）を接続する空洞の取付部（５０３）と、
内側筒体（２５０）、中間筒体（２１０）及び外側筒体（３４０）よりなる筒体で構成されおり、当該筒摺動部の後端部が前記取付部（５０３）の先端部に接続され、当該筒摺動部の先端部を前記プラグ（１０）に嵌合させて前記筒体の摺動によって、内部に収納されている凸軸付ストップバルブ（２６）及び前記プラグ（１０）のプラグ側ノズル（１２Ｐ）を開いて前記気体又は前記液体を充填する筒摺動部と、
前記取付部（５０３）に、固着された握り部（５００）と、
前記握り部（５００）の長さ程度のガンレバー（５０２）と、
前記握り部（５００）の上部に後面が固着されて、前記ガンレバー（５０２）の一端部を第１のピン（５０１ａ）で回動自在に保持する平板状の保持部材（５０１）と、
前記外側筒体（３４０）の先端部の外周面に固着された第１の鍔（３４４ｂ）と、
前記第１の鍔（３４４ｂ）に対して一定間隔を有して前記外周面の後部に固着された第２の鍔（３４４ａ）と、
前記第１の鍔（３４４ｂ）と第２の鍔（３４４ａ）との間に渡って上面が固着され、下面が前記ガンレバー（５０２）の、指を掛ける領域より上で、かつ前記保持部材（５０１）の下面以下となり、後面が前記ガンレバー（５０２）に対向する平板（３４４ｃ）と、
前記平板（３４４ｃ）と、前記ガンレバー（５０２）とを連結する連結棒（７００）と、
前記平板（３４４ｃ）の上面に対向する前記外側筒体（３４０）の外周面における前記第１の鍔（３４４ｂ）と第２の鍔（３４４ａ）との間に渡って下面が固着された連結板（３４４ａｂ）とを備え、
前記ガンレバー（５０２）は、
前記平板（３４４ｃ）の下面の延長線付近となる位置に前記連結棒（７００）の他端を固着した第２のピン（５０２ａ）を備え、
さらに、前記指を掛ける領域は、前記第２のピン（５０２ａ）から前記ガンレバー（５０２）の他端までの範囲であり、
前記平板（３４４ｃ）は、
前記第２のピン（５０２ａ）に対向し、前記連結棒（７００）が水平となる位置に第３のピン（３４４（ｃａ））を設けて、前記連結棒（７００）の一端を固着していることを特徴とする手動型の充填器。
【請求項２】
前記握り部（５００）は、
前記取付部（５０３）の先端部の先端から一定範囲を取る第１の領域の後に存在する第２の領域に、一端が固着されており、
前記保持部材（５０１）は、
上面が前記第１の領域に固着され、
下面は、前記第１のピン（５０１ａ）と前記第２のピン（５０２ａ）との間となり、前記上面の先端から斜め面が形成され、この斜め面が前記後面として前記握り部（５００）に固着され、前面は、前記第２のピン（５０２ａ）より前側となって、その前面は垂直にされており、
前記中間筒体（２１０）は、
後端から前記凸軸付ストップバルブ（２６）の凸軸（２６ａ）の長さ程度の位置に、前記外側筒体（３４０）の後ろ側への摺動を停止させるためのストッパ用鍔（２１０ｆ）が設けられ、
前記外側筒体（３４０）の後端には、前記ストッパ用鍔（２１０ｆ）に打ち当って前記中間筒体（２１０）を後方に手動させるための第３の鍔（３４０ｄ）が設けられており、
前記第１の鍔（３４４ｂ）及び第２の鍔（３４４ａ）の前記外側筒体（３４０）の外周面からの高さは、
前記ストッパ用鍔（２１０ｆ）及び第３の鍔（３４０ｄ）の高さの数倍程度にされ、
前記連結板（３４４ａｂ）の高さは、前記第１の鍔（３４４ｂ）及び第２の鍔（３４４ａ）の高さ程度にされ、
前記平板（３４４ｃ）の前面は、前記第２の鍔（３４４ａ）の高さにされ、
前記平板（３４４ｃ）の下面は、
前記第３のピン（３４４（ｃａ））に固着された連結棒（７００）の下面付近であり、前端は前記外側筒体（３４０）の中央付近であり、この前端から斜めに前記平板（３４４ｃ）の前面の下縁に繋がる斜面とされていることを特徴とする請求項１記載の手動型の充填器。
【請求項３】
前記筒摺動部の前記内側筒体（２５０）は、
先端側の内部に前記凸軸付ストップバルブ（２６）を備え、後端が前記取付部（５０３）の先端部に接続されており、
中間筒体（２１０）は、
先端側に前記プラグ（１０）を嵌合するためのチャック部を有して、前記内側筒体（２５０）を覆い、
前記外側筒体（３４０）は、
先端側に前記チャック部のボール（２２）を押圧する領域、この領域の後ろに前記ボール（２２）を逃がすテーパ付き凹溝（３４ｆ１）を形成して、前記中間筒体（２１０）を覆っていることを特徴とする請求項１記載の手動型の充填器。
【請求項４】
前記筒摺動部は、
前記先端側が前記プラグ（１０）に嵌合された場合に、
前記ガンレバー（５０２）が一定距離引かれる間は、前記外側筒体（３４０）を後方に、第１の反発力を与えながら前記チャック部のボール（２２）を押した状態にする位置であるストッパ用鍔（２１０ｆ）に第３の鍔（３４０ｄ）が打ち当たるまで前記中間筒体（２１０）上を摺動（Ｓ１）させることで前記プラグ（１０）に嵌合させ、
さらに前記ガンレバー（５０２）が引かれた場合は、その間は、第２の反発力（第２の反発力＞第１の反発力を与えながら前記中間筒体（２１０）を後方に摺動させて前記凸軸付ストップバルブ（２６）及びプラグ側ノズル（１２Ｐ）を開かせる構造にされていることを特徴とする請求項３記載の手動型の充填器。
【発明の詳細な説明】
【技術分野】
【０００１】
本発明は、気体又は液体を収めたボンベのプラグに、片手で連結できる手動型の充填器に関するものである。
【背景技術】
【０００２】
一般的に、気体又は液体をボンベに充填する際に手動型の充填器（充填ノズル）が用いられている。
【０００３】
例えば、ＬＰＧガスボンベを搭載しているタクシーにおいては、ガスを充填する際に、充填ノズルを両手でもってボンベのプラグに差し込んでガスを充填していた（特許文献１参照）。
【先行技術文献】
【特許文献】
【０００４】
【特許文献１】特開２００８−２３２４１８号公報
【発明の概要】
【発明が解決しようとする課題】
【０００５】
しかしながら、特許文献１に開示されたガス充填装置におけるように、充填ノズルを両手でもってガスボンベのプラグに差し込むのは容易ではない。
【０００６】
そこで、本発明は、気体又は液体を通すプラグに対して着脱自在な充填ノズルを連結する際に、片手でも容易にボンベのプラグに装着できる手動型の充填器を提供することを目的とする。
【課題を解決するための手段】
【０００７】
本発明は上記課題に鑑みてなされたものであり、ボンベ（Ｂ）の側面に設けられているプラグ（１０）に嵌合させて、気体又は液体が挿入されているゴムホース（６０５）に接続されている接続治具（６００）を介して前記気体又は液体を前記ボンベ（Ｂ）に充填する手動型の充填器であって、
後端部に前記接続治具（６００）を接続する空洞の取付部（５０３）と、
内側筒体（２５０）、中間筒体（２１０）及び外側筒体（３４０）よりなる筒体で構成されおり、当該筒摺動部の後端部が前記取付部（５０３）の先端部に接続され、当該筒摺動部の先端部を前記プラグ（１０）に嵌合させて前記筒体の摺動によって、内部に収納されている凸軸付ストップバルブ（２６）及び前記プラグ（１０）のプラグ側ノズル（１２Ｐ）を開いて前記気体又は前記液体を充填する筒摺動部と、
前記取付部（５０３）に、固着された握り部（５００）と、
前記握り部（５００）の長さ程度のガンレバー（５０２）と、
前記握り部（５００）の上部に後面が固着されて、前記ガンレバー（５０２）の一端部を第１のピン（５０１ａ）で回動自在に保持する平板状の保持部材（５０１）と、
前記外側筒体（３４０）の先端部の外周面に固着された第１の鍔（３４４ｂ）と、
前記第１の鍔（３４４ｂ）に対して一定間隔を有して前記外周面の後部に固着された第２の鍔（３４４ａ）と、
前記第１の鍔（３４４ｂ）と第２の鍔（３４４ａ）との間に渡って上面が固着され、下面が前記ガンレバー（５０２）の、指を掛ける領域より上で、かつ前記保持部材（５０１）の下面以下となり、後面が前記ガンレバー（５０２）に対向する平板（３４４ｃ）と、
前記平板（３４４ｃ）と、前記ガンレバー（５０２）とを連結する連結棒（７００）と、
前記平板（３４４ｃ）の上面に対向する前記外側筒体（３４０）の外周面における前記第１の鍔（３４４ｂ）と第２の鍔（３４４ａ）との間に渡って下面が固着された連結板（３４４ａｂ）とを備え、
前記ガンレバー（５０２）は、
前記平板（３４４ｃ）の下面の延長線付近となる位置に前記連結棒（７００）の他端を固着した第２のピン（５０２ａ）を備え、
さらに、前記指を掛ける領域は、前記第２のピン（５０２ａ）から前記ガンレバー（５０２）の他端までの範囲であり、
前記平板（３４４ｃ）は、
前記第２のピン（５０２ａ）に対向し、前記連結棒（７００）が水平となる位置に第３のピン（３４４（ｃａ））を設けて、前記連結棒（７００）の一端を固着していることを要旨とする。
【発明の効果】
【００１０】
従って、片手でも容易に車両に搭載されたプロパンガスボンベにガスをスムーズに供給できる。
【図面の簡単な説明】
【００１１】
【図１】本発明に係る実施の形態１の手動型の充填器（充填ノズル）を示した斜視図である。
【図２】図１に示したプラグを断面して示した縦断面図である。
【図３】図１に示した充填器（充填ノズル）のソケット部を示した斜視図である。
【図４】図３に示したソケット部の中間筒体（ソケット用筒体）を示した縦断面図である。
【図５】図３に示したソケット部の内側筒体（ノズル収納用筒体）を示した縦断面図である。
【図６】図３に示したソケット部の外側筒体（摺動用筒体）を示した縦断面図である。
【図７】実施の形態１の手動型の充填器のソケット部を組立て順に分解して示した分解斜視図である。
【図８】実施の形態１の手動型の充填器のソケット部を組立てた状態を示した縦断面図である。
【図９】実施の形態１の手動型の充填器の組立て順を説明するための斜視図である。
【図１０】実施の形態１の手動型の充填器を組み立てた後の状態を示した斜視図である。
【図１１】実施の形態１の手動型の充填器の初期状態を説明するための説明図である。
【図１２】実施の形態１の手動型の充填器の第１動作を説明するための説明図である。
【図１３】実施の形態１の手動型の充填器の第２動作を説明するための説明図である。
【図１４】実施の形態１の手動型の充填器の第３動作を説明するための説明図である。
【図１５】実施の形態１における変形例のソケット部を示した縦断面図である。
【図１６】本発明に係る実施の形態２の充填器（充填ノズル）の全体構成を示した斜視図である。
【図１７】実施の形態２の手動型の充填器の初期状態を説明するための説明図である。
【図１８】実施の形態２の手動型の充填器の第１動作を説明するための説明図である。
【図１９】実施の形態２の手動型の充填器の第２動作を説明するための説明図である。
【図２０】実施の形態２の手動型の充填器の第３動作を説明するための説明図である。
【図２１】実施の形態３の手動型の充填器（充填ノズル）の斜視図である。
【図２２】実施の形態３の手動型の充填器をプラグに嵌め込んだ状態を示した断面図である。
【図２３】実施の形態３の手動型の充填器において、ガンレバーの動作を説明する説明図である。
【発明を実施するための形態】
【００１２】
本発明に係る手動型の充填器について、以下に実施の形態を説明する。
【００１３】
[実施の形態１]
実施の形態１の手動型の充填器（充填ノズルともいう）は、ガス（ＬＰＧ）又は液体の充填に用いることができるが、実施の形態１ではガスを充填する充填ノズルとして説明する。
【００１４】
図１は本発明に係る実施の形態１の手動型の充填器（充填ノズル）を示した斜視図である。
【００１５】
図１に示す如く、実施の形態１の充填器（充填ノズル）１６は、ガスボンベＢの横に固定して取り付けられた雄型のプラグ１０に接続して用いる。
【００１６】
上記した実施の形態１の充填ノズル１６は、雄型のプラグ１０に挿着するための雌型のソケット部（チャック部ともいう）２０と、取付部４０と、握り部５０と、ノブ付きスイッチ５７と、ガンレバー６０と、連結棒６２と、エアシリンダ部７０等から構成されている。
【００１７】
尚、取付部４０の後端には、ガスホース４２が接続される。また、握り部５０の底部にはエアホース５６が接続される。前述のソケット部２０と、取付部４０と、握り部５０と、ガンレバー６０と、連結棒６２と、エアシリンダ部７０は、真鋳又はアルミで形成されるのが好ましい。
【００１８】
＜プラグ１０について＞
前述した雄型のプラグ１０について、図１及び図２を用いて説明する。図２はプラグ１０の縦断面図である。但し、図２の縦断面図はガスボンベＢに取り付けた状態で示す。
【００１９】
雄型のプラグ１０は、図１及び図２に示すように、プラグ本体１１が円環状に形成されており、先端部１１ａ側が充填ノズル１６のソケット部（チャック部）２０に対する挿脱側とされ、一方、後端部１１ｂ側がボンベＢに固定される側となっている。
【００２０】
また、プラグ本体１１は、外周部１１ｃに鍔部１１ｃ１，１１ｃ２が形成されており、鍔部１１ｃ１はガスボンベＢ側に形成され、鍔部１１ｃ２は充填ノズル１６のソケット部２０側に形成されている。また、プラグ本体１１の後端部１１ｂ側に形成した鍔部１１ｃ１は、先端部１１ａ側に形成した鍔部１１ｃ２よりも大径になっている。
【００２１】
そして、雄型のプラグ１０は、図２に示すようにプラグ本体１１をガスボンベＢに取り付けたプラグ支持部材ＰＳにネジ嵌合させて固定されている。
【００２２】
さらに、プラグ本体１１の先端部１１ａ側の鍔部１１ｃ２の直ぐ後ろは、テーパを付けたテーパ付き凹溝（第１の凹溝ともいう）１１ｃ３が周設されている。また、プラグ本体１１の先端部１１ａと、テーパ付き凹溝１１ｃ３の中心部との間の距離はＬ１になるようにされている。このＬ１を嵌合領域又は嵌合部分と称する。
【００２３】
また、プラグ１０の外径（１１ｃ２を含む）の寸法をＨａと称する。そして、テーパ付き凹溝１１ｃ３は、鍔部１１ｃ２よりも凹んでいるので後述する充填ノズル１６のソケット部（チャック部）２０をロックすることが可能となっている。
【００２４】
また、図２に示すように、プラグ本体１１の内部には、ストップバルブであるプラグ側ノズル（第１のノズルともいう）１２が第１の軸受支持部材１３に支持されたプラグ側ノズル軸受１４に嵌合しながら第１の圧縮バネ１５の付勢力により開閉自在に収納されている。
【００２５】
上述したプラグ側ノズル１２Ｐは、先端側のテーパ状先端鍔部１２ａと、テーパ状先端鍔部１２ａの後方に連接してこのテーパ状先端鍔部１２ａよりも小径に形成された中間軸部１２ｂと、中間軸部１２ｂの後方に連接してこの中間軸部１２ｂよりも小径に形成された後端軸部１２ｃとが同心で一体形成されている。
【００２６】
さらに、プラグ本体１１の先端部１１ａ側の内壁は、図２に示すように先端に向かって内径が狭まるように円錐状に傾斜したテーパ孔状に形成されているので、このテーパ孔１１ｄにプラグ側ノズル１２Ｐのテーパ状先端鍔部１２ａが接離することでプラグ側ノズル１２Ｐが開閉自在になっている。
【００２７】
また、第１の軸受支持部材１３は、中央のプラグ側ノズル軸受１４の外周に沿って放射状に設けた複数のスポークにより複数の貫通孔が形成され、これら複数の貫通孔によりガスを通すことができるようになっている。
【００２８】
そして、プラグ側ノズル１２Ｐの後端軸部１２ｃがプラグ側ノズル軸受１４に嵌合して軸支されているので、プラグ側ノズル１２Ｐがプラグ側ノズル軸受１４の軸方向に摺動可能になっている。
【００２９】
＜充填ノズル１６のソケット部２０について＞
図３は実施の形態１における充填器（充填ノズル）１６のソケット部２０を示した斜視図である。また、図４はソケット部２０の中間筒体（ソケット用筒体）２１を示した縦断面図である。また、図５はソケット部２０の内側筒体（ノズル収納用筒体）２５を示した縦断面図である。また、図６はソケット部２０の外側筒体（摺動用筒体）３４を示した縦断面図である。また、図７は充填ノズル１６のソケット部２０を組立て順に分解して示した分解斜視図である。また、図８は充填ノズル１６のソケット部２０を組立てた状態を示した縦断面図である。
【００３０】
図３に示すように、実施の形態１の充填器（充填ノズル）１６のソケット部２０は、円環状の中間筒体（ソケット用筒体ともいう）２１と、中間筒体２１の内部に収納される内側筒体（ノズル収納用筒体ともいう）２５と、中間筒体２１の外周部に沿って摺動する外側筒体（摺動用筒体ともいう）３４とを備えており、中間筒体２１，内側筒体２５，外側筒体３４とで筒摺動部が構成されている。
【００３１】
そして、内側筒体２５に中間筒体２１を被せ、この中間筒体２１に外側筒体３４を被せている。
【００３２】
以下、中間筒体２１，内側筒体２５，外側筒体３４について順に説明する。
【００３３】
｛中間筒体（ソケット用筒体）２１｝
中間筒体（ソケット用筒体）２１は、図４に示すように、段付き円環状に形成されており、先端部２１ａ側がプラグ１０に挿脱する側とされ、一方、後端部２１ｂ側が内側筒体２５（図３）を挿脱する側となっている。
【００３４】
また、中間筒体２１は、先端部と後段部とで構成され、先端部２１ａ側の先頭第１内周部２１ｇの内径Ｈａはプラグ１０の外径Ｈｐａと同程度にされている。また、中間筒体２１の先端部２１ａ側の先頭外周部２１ｃの外径はＨｄにされている（ボール２２の直径の１／３又は１／４程度の厚み分だけ径が大きい）。
【００３５】
さらに、中間筒体２１は、先端部から後段部に向って径が段階的に大きくされている。
【００３６】
より詳細には、中間筒体２１は、外径Ｈｄの先頭外周部２１ｃと、先頭外周部２１ｃの外径Ｈｄより大きな外径Ｈｅの中間外周部２１ｄと、さらに中間外周部２１ｄの外径Ｈｅより大きい外径Ｈｆの後方外周部２１ｅとから形成された３段構造になっている。
【００３７】
また、中間筒体２１の後方外周部２１ｅの後ろ側には、さらに径が大きいストッパ用鍔部（凸部）２１ｆを設けている。前述の中間外周部２１ｄと後方外周部２１ｅとを総称して後段部という。なお、本実施の形態ではストッパ用鍔部２１ｆ（凸部）を周設した鍔状にしているが、ストッパ用鍔部２１ｆ（凸部）は一定間隔又は間隔を異ならせて数個周設してもよい。
【００３８】
つまり、中間筒体２１の先頭外周部２１ｃは、図４に示すように、プラグ１０の嵌合領域の長さＬ１と、後述するバネ３５（図７）の最小縮小範囲の長さとを加算した長さＬ１１であり、最も外径が小さくなっている。
【００３９】
そして、先頭外周部２１ｃの長さＬ１１をとった点２１ｄｄから外径がさらに大きい外径Ｈｅの中間外周部２１ｄとなり、この中間外周部２１ｄの長さが後述するＳ１程度の長さとなっている。また、中間外周部２１ｄから更に径が大きい後方外周部２１ｅを形成している。なお、中間外周部２１ｄと後方外周部２１ｅとは同じ外形寸法でもかまわないが、本実施の形態では外側筒体３４（図３）に対して動きをよくするために中間外周部２１ｄの外径を後方外周部２１ｅよりも僅かに小さくしている。この後方外周部２１ｅは最大の外径Ｈｆになっている。
【００４０】
さらに、中間筒体２１の内側は、先頭第１内周部２１ｇと、先頭第２内周部２１ｈと、中間内周部２１ｉと、後方内周部２１ｊとから構成される４段構造になっている。
【００４１】
つまり、図４に示すように、中間筒体２１の先頭第１内周部２１ｇの内径はプラグ１０の外径Ｈｐａと同じ外径Ｈａにされて、先頭第２内周部２１ｈの端点２１ｃｃからさらに大きな内径Ｈｇの中間内周部２１ｉとなっている｛後述するバネ３２（図７）の外径よりも少し大きい程度｝。
【００４２】
さらに、後ろの後方内周部２１ｊは中間内周部２１ｉの内径Ｈｇよりさらに大きな内径Ｈｉとなっている。この内径Ｈｉが大きくなりだす箇所を本実施の形態では点２１ｊｊと称する。
【００４３】
そして、この点２１ｊｊと、ストッパ用鍔部２１ｆ（凸部）までの点２１ｆｆとの間の距離（長さ）は、チャック部の楕円孔２１ｃｇの長軸程度の長さＳ１ａ程度より少し長めにしている（同じでもかまわないが余裕をとっている）。本実施の形態ではこの部分の長さをＳ１と称する。
【００４４】
また、中間筒体２１の先頭外周部２１ｃと先頭第１内周部２１ｇとの間には、楕円形状の楕円孔２１ｃｇ（長軸の長さをＳ１ａと称する）が貫通して周方向に複数周設されている。そして、各楕円孔２１ｃｇ内に各ボール２２が遊嵌されており、且つ、各楕円孔２１ｃｇの内面に沿って傾斜を付けることで、各ボール２２の一部分のみが先頭外周部２１ｃ及び先頭第１内周部２１ｇに対して落下することなく突出できるようになっている。このボール２２と楕円孔２１ｃｇとを総称してチャック部ともいう。
【００４５】
更に、中間筒体２１の先頭第２内周部２１ｈ内にＯリング２３が嵌め込まれている。
【００４６】
｛内側筒体（ノズル収納用筒体）２５｝
内側筒体（ノズル収納用筒体）２５は、図５に示すように、内部にソケット側ノズル（第２のノズル；凸軸付ストップバルブともいう）２６を収納して、外径が段付き円環状に形成されている。前述のソケット側ノズル（凸軸付ストップバルブ）２６は、プラグ側となる方向に所定長さの先端軸部（凸軸ともいう）２６ａを有してテーパ状中間鍔部（バルブ座ともいう）２６ｂと一体にされている。
【００４７】
具体的には、ソケット側ノズル（凸軸付ストップバルブ）２６は、先端軸部（凸軸）２６ａと、先端軸部２６ａの後方に連接してこの先端軸部２６ａよりも大径に形成されたテーパ状中間鍔部（バルブ座）２６ｂと、テーパ状中間鍔部２６ｂの後方に連接してこのテーパ状中間鍔部２６ｂよりも小径に形成された中間軸部２６ｃと、中間軸部２６ｃの後方に連接してこの中間軸部２６ｃよりも小径に形成された後端軸部２６ｄとが同心で一体形成されている。
【００４８】
さらに、内側筒体２５の内壁は、先端に向かって内径が狭まるように円錐状に傾斜したテーパ孔状に形成されているので、このテーパ孔２５ｆにソケット側ノズル２６のテーパ状中間鍔部２６ｂが接離することでソケット側ノズル２６が開閉自在になっている。
【００４９】
また、ソケット側ノズル２６が閉じているときに、この先端軸部２６ａは、内側筒体２５の先端部の中心に形成したテーパ孔２５ｆを通って内側筒体２５の先端部２５ａよりも長さＮ１だけ前方に突出している。
【００５０】
また、第２の軸受支持部材２７は、中央のソケット側ノズル軸受２８の外周に沿って放射状に設けた複数のスポークにより複数の貫通孔が形成され、これら複数の貫通孔によりガスを通すことができるようになっている。
【００５１】
そして、ソケット側ノズル２６の後端軸部２６ｄがソケット側ノズル軸受２８に嵌合して軸支されているので、ソケット側ノズル２６がソケット側ノズル軸受２８の軸方向に摺動可能になっている。
【００５２】
また、ソケット側ノズル２６の後端軸部２６ｄよりも後方で内側筒体２５の内部には、Ｏリング３０とシール部材３１とが嵌め込まれている。
【００５３】
また、内側筒体２５の後方部位を先端部よりも大径に突出させた後方外周部（凸部)２５ｅの内壁には、取付部４０（図１，図７，図８）の角型筒体４１（図７，図８）の先端部４１ａに形成した雄ネジ４１ａ１が締結するための雌ネジ２５ｇが形成されている。
【００５４】
そして、内側筒体２５の先端部２５ａ側が中間筒体２１（図４）内に挿入する側とされ、内側筒体２５の後端部２５ｂ側が取付部４０（図１，図７，図８）に着脱可能に取り付けられる側となっている。
【００５５】
また、内側筒体２５の外周側は、長さが短い先頭外周部２５ｃと、中間外周部２５ｄと、後方外周部（凸部)２５ｅとから構成される３段構造になっている。
【００５６】
具体的には、内側筒体２５の先頭外周部２５ｃは最も外径が小さく、その外径は後述するバネ３２（図７）を嵌め込むために中間筒体２１の先端部の内径Ｈａと略等しくなっている。
【００５７】
また、内側筒体２５の中間外周部２５ｄは次に径が大きく、その外径は中間筒体２１の中間内周部２１ｉの内径Ｈｇとなっている。さらに、内側筒体２５の後方外周部２５ｅは最大の外径であり、その外径は中間筒体２１の後方内周部２１ｊの内径Ｈｉになっている。
【００５８】
より具体的には、前述の先頭外周部２５ｃの長さはバルブ座２６ｂの長さの２／３程度にされている。そして、図５に示すように、端点２５ｃｃから外径がわずかに大きくなっている｛バネ３２（図７）の径より少し大きい程度｝。そしてさらに端点２５ｄｄで外径を大きくして後端にいたるようにしている。
【００５９】
｛外側筒体（摺動用筒体）３４｝
図６に示すように、外側筒体（外側筒体）３４の内側は、先頭内周部３４ｆと、中間内周部３４ｇと、後方内周部３４ｈとから構成される３段構造になっている。
【００６０】
また、外側筒体３４の先頭内周部３４ｆは最も内径が小さく、その内径は中間筒体２１の先頭外周部２１ｃの外径Ｈｄにされている。また、外側筒体３４の中間内周部３４ｇは次に径が大きく、中間筒体２１の中間外周部２１ｄの外径Ｈｅとなっている。
【００６１】
また、外側筒体３４の後方内周部３４ｈは最大の内径になっている。この内径は、中間筒体２１の最大の外径Ｈｆとなっている。
【００６２】
さらに、外側筒体３４の先頭内周部３４ｆにはテーパ付き凹溝（第２の凹溝ともいう）３４ｆ１が前後にテーパを付けて中央を先頭内周部３４ｆの径よりも少し大きくして周設されており、このテーパ付き凹溝３４ｆ１内に中間筒体２１の先頭側に形成した複数の楕円孔２１ｃｇ内をそれぞれ遊嵌している各ボール２２（図４）が進入可能になっている。
【００６３】
具体的には、前述のテーパ付き凹溝３４ｆ１の後ろの盛り上がり３４ｇａを経て点３４ｇｇから内径がさらに大きくなって中間筒体２１の中間外周部２１ｄの外径Ｈｅと同径の内径を形成し、この後、点３４ｈｈから内径がさらに大きくなって中間筒体２１の最大の外径Ｈｆと同径の内径を形成している。
【００６４】
また、この外側筒体３４の外周部３４ｃは外径がＨｏに形成されており、この外周部３４ｃの後方に鍔部３４ｄが突出形成されている。
【００６５】
更に、外側筒体３４の鍔部３４ｄは、図７に示すように、略菱形状の左右に後述する左右一対のピストン７４，７４（図９）を取り付けるための左右一対の丸孔３４ｄ１，３４ｄ１が形成され、且つ、連結片３４ｅには後述するガンレバー６０（図９）を引く際の引き棒の機能を備えた連結棒６２（図９）を連結するための丸孔３４ｅ１が形成されている。
【００６６】
そして、これらの筒体を図７に示すように組み立てる。図７に示すように、取付部４０の角型筒体４１の先端部４１ａにシール部材３１を挿入して、さらにＯリング（ゴム）３０を挿入して、これらを内部にソケット側ノズル（第２のノズル；凸軸付ストップバルブともいう）２６を収納した内側筒体２５で被せる。
【００６７】
また、内側筒体２５の先頭外周部２５ｃに第３の圧縮バネ３２を被せて、この内側筒体２５を中間筒体２１の内部に収納する。
【００６８】
次に、中間筒体２１の先端部に第４の圧縮バネ３５をかぶせて、この中間筒体２１を外側筒体３４の内部に収納する。
【００６９】
従って、図８（ａ），（ｂ）の断面図に示すように、外側筒体３４の中間内周部３４ｇと中間筒体２１の先頭部分の先頭外周部２１ｃとの間には、第４の圧縮バネ３５が収納された空間領域Ｋａが形成されることになる。
【００７０】
この空間領域Ｋａは、中間筒体２１の先頭外周部２１ｃが厚みを増す点２１ｄｄと、外側筒体３４のテーパ付き凹溝３４ｆ１の後ろの内径が大きくなる点３４ｇｇとの間に形成された空間領域であり、その長さは、テーパ付き凹溝３４ｆ１の長さＳ１ａと、バネが最小に縮小したときの厚みの長さより少し長めにされた長さＬｍとなっている。
【００７１】
さらに、内側筒体２５の中間外周部２５ｄと中間筒体２１の後方内周部２１ｊとの間にも空間領域Ｋｃが形成されている。
この空間領域Ｋｃは、中間筒体２１の後方内周部２１ｊの内径Ｈｉとなる端点２１ｊｊと、内側筒体２５の中間外周部２５ｄの端点２５ｄｄとの間となっており、長さがチャック部の楕円孔２１ｃｇの長軸程度の長さＳ１ａ程度より少し長めにされている（この長さを本実施の形態ではＳ２又は第２ストロークと称する）。
【００７２】
さらに、内側筒体２５の先頭外周部２５ｃから径が大きくなっている端点２５ｃｃと中間筒体２１の中間内周部２１ｉの端点２１ｃｃとには、第３の圧縮バネ３２が収納される空間領域Ｋｂが形成されることになる。
【００７３】
この空間領域Ｋｂは、凸軸付ストップバルブ２６の先端軸部２６ａの長さＮ１と、第３の圧縮バネ３２の最小収縮時のバネ長さ程度とを合計した長さＬｇとなっている。
【００７４】
さらに、外側筒体３４の鍔部３４ｄと、中間筒体２１のストッパ用鍔部２１ｆとの間隔はチャック部の楕円孔２１ｃｇの長軸程度の長さＳ１ａ程度より少し長めにしている（同じでもかまわないが余裕をとっている）。本実施の形態ではこの部分の長さをＳ１又は第１ストロークと称する。
【００７５】
なお、第３の圧縮バネ３２と第４の圧縮バネ３５のバネ乗数は相違している。第３の圧縮バネ３２が強く、第４の圧縮バネ３５は第３の圧縮バネ３２よりも弱い。
【００７６】
更に、図８に示す如く、内側筒体２５内でソケット側ノズル２６が閉じ状態であるときに、中間筒体２１の先頭側に形成した複数の楕円孔２１ｃｇの軸方向の略中心（ボール２２の略中心）と、内側筒体２５の先端部２５ａよりも前方に突出しているソケット側ノズル２６の先端軸部２６ａの先端との間の距離Ｌ２は、先に図２を用いて説明したプラグ本体１１の先端部１１ａと、テーパ付き凹溝１１ｃ３の中心部との間の距離Ｌ１よりも僅かに大きく設定されている。
【００７７】
＜充填ノズル１６（充填器ともいう）の組立てについて＞
図９は充填器（充填ノズル）１６の組立て順を説明するための斜視図である。また、図１０は充填ノズル１６を組み立てた後の状態を示した斜視図である。
【００７８】
図９に示す如く、充填器（充填ノズル）１６の取付部４０は角型筒体４１を有しており、この角型筒体４１の先端部４１ａにソケット部２０が着脱自在に接続されていると共に、角型筒体４１の後端部４１ｂにガスホース４２が接続されている。
【００７９】
上記した角型筒体４１は、長尺に形成されており、角形状の外周部４１ｃの先端側の左右両脇に一対の突出片４１ｄ，４１ｄが突出形成されている。これら一対の突出片４１ｄ，４１ｄには、後述する左右一対のエアシリンダ７３，７３を支持するための左右一対の丸孔４１ｄ１，４１ｄ１が貫通して形成されている。
【００８０】
また、角型筒体４１の内部には、ガスホース４２から送られたガスをソケット部２０側に送るためのガス流通路４１ｅが貫通して形成されている。
【００８１】
次に、握り部５０は、略逆Ｌ字状の把持体５１を有している。この把持体５１は、上固定部５１ａの左右に複数の突出片５１ａ１が突出形成されており、各突出片５１ａ１に形成した丸孔内にネジ５２を通して、上固定部５１ａを角型筒体４１の外周部４１ｃの底面４１ｃ１にネジ５２で締結している。
【００８２】
また、把持体５１の上固定部５１ａに連接して把持部５１ｂが下方に向って延出されている。
【００８３】
また、把持体５１は、上固定部５１ａと把持部５１ｂとの間の内部に略Ｌ字状のエア流通路（図示せず）が貫通して形成されていると共に、把持部５１ｂの下端にエア入口５１ｂ１が形成され、且つ、上固定部５１ａの先端にエア出口５１ａ２が形成されている。
【００８４】
また、把持部５１ｂの下端に形成したエア入口５１ｂ１内にＯリング５３及びプラグ５４が順に取り付けられ、このプラグ５４にチャック５５の一端が着脱自在に取り付けられていると共に、チャック５５の他端にエアを供給するエアホース５６が接続されている。
【００８５】
また、把持体５１は、上固定部５１ａの下面と把持部５１ｂの左側面とに連接し、且つ、上固定部５１ａの先端よりも一段後方に引っ込んだ部位に段部５１ｃが前方に向って略垂直に形成されている。そして、把持体５１の段部５１ｃにエアホース５６から送られるエアの供給を起動させるためのノブ付きスイッチ５７が取り付けられている。
【００８６】
次に、ガンレバー６０は、この上端部位６０ａを把持体５１の上固定部５１ａの中間部位にピン６１を介して回動可能に取り付けられており、このガンレバー６０は前述したノブ付きスイッチ５７に対して接離自在になっている。
【００８７】
また、ガンレバー６０は、この中間部位に形成した角孔６０ｂ内に連結棒（引き棒）６２の一端がピン６３を介して連結されており、且つ、連結棒６２の他端は前述した外側筒体３４の鍔部３４ｄの最下部の頂点に形成した連結片３４ｅにピン６４を介して連結されている。
【００８８】
そして、ユーザが把持体５１の把持部５１ｂを把持しながら、ガンレバー６０の下端部位６０ｃを引くことにより、ガンレバー６０の上端部位６０ａ側でノブ付きスイッチ５７を押すことが可能になっている。
【００８９】
また、ガンレバー６０の可動範囲は、前述した外側筒体３４の第１ストロークＳ１（図８）と、内側筒体２５の第２ストロークＳ２（図８）とを加算したストローク分よりも少し大きく設定されている。そして、後述するように、ガンレバー６０は、第１ストロークＳ１による１段階目の操作と、第２ストロークＳ２による２段階目の操作とで２段階操作が可能になっている。
【００９０】
次に、エアシリンダ部７０は、前述の把持体５１の上固定部５１ａに形成したエア出口５１ａ２に二股パイプ７１の一端が接続されており、この二股パイプ７１の一端と反対側の他端は二股に分かれて各他端に計２本のＬ字状パイプ７２，７２の各一端が接続されている。
【００９１】
また、計２本のＬ字状パイプ７２，７２の各他端は、左右一対のエアシリンダ７３，７３の各前方側エア室に接続されている。
【００９２】
また、左右一対のエアシリンダ７３，７３の各後方側は、前述の角型筒体４１の一対の突出片４１ｄ，４１ｄに形成した左右一対の丸孔４１ｄ，４１ｄ内に嵌合して支持されている。
【００９３】
また、左右一対のエアシリンダ７３，７３内には、左右一対のピストン７４，７４が進退自在に嵌合している。
【００９４】
更に、左右一対のピストン７４，７４の各先端部位は、左右一対のエアシリンダ７３，７３の各前方に突出して、前述の外側筒体３４の鍔部３４ｄに形成した左右一対の丸孔３４ｄ１，３４ｄ１内に嵌め込まれて、前後をナット７５により締結されている。
【００９５】
そして、図１０に示す如く、取付部４０に、ソケット部２０と、握り部５０と、ガンレバー６０と、連結棒６２と、エアシリンダ部７０とを取り付けると、実施の形態１の手動型の充填器（充填ノズル）１６の組立が完了する。
【００９６】
＜動作説明＞
上記のように構成された実施の形態１の手動型の充填器（充填ノズル）１６について、以下に動作を説明する。
【００９７】
（初期状態）
図１１は実施の形態１の手動型の充填器（充填ノズル）１６の初期状態を説明するための説明図である。
【００９８】
図１１（ａ），（ｂ）に示す如く、実施の形態１の充填器（充填ノズル）１６が初期状態に至っているときには、ガンレバー６０がノブ付きスイッチ５７に当接することなく解放されている状態であり、充填ノズル１６はガスボンベＢに取り付けたプラグ１０に差し込んでいない状態である。
【００９９】
この初期状態においては、プラグ１０は図２に示した状態であり、プラグ本体１１内のプラグ側ノズル１２Ｐが第１の圧縮バネ１５の付勢力によって閉じ状態となっている。
【０１００】
一方、初期状態において、充填ノズル１６は図８に示した状態であり、充填ノズル１６のソケット部２０を構成する中間筒体２１内に収納した内側筒体２５内のソケット側ノズル（凸軸付ストップバルブ）２６も第２の圧縮バネ２９の付勢力によって閉じ状態となっている。つまり、ソケット側ノズル（凸軸付ストップバルブ）２６の先端軸部（凸軸）２６ａは内側筒体２５の先端部２５ａよりも長さＮ１だけ前方に突出している。
【０１０１】
また、中間筒体２１の外周部を摺動する外側筒体３４は、第４の圧縮バネ３５の付勢力により前方に移動して、この外側筒体３４の前端部３４ａが中間筒体２１の先端部２１ａよりも突出している。つまり、外側筒体３４の後端部３４ｂと中間筒体２１のストッパ用鍔部２１ｆとの間は、長さＳ１にされている。
【０１０２】
そして、中間筒体２１の先頭側に形成した複数の楕円孔２１ｃｇ内を遊遊している各ボール２２は、外側筒体３４の先頭内周部３４ｆに形成したテーパ付き凹溝３４ｆ１内に進入している。
【０１０３】
また、内側筒体２５は、第４の圧縮バネ３５よりも付勢力が大きい第３の圧縮バネ３２の付勢力により中間筒体２１の中間内周部２１ｉ及び後方内周部２１ｊ内を後方に向って移動している。
【０１０４】
（第１動作）
図１２は実施の形態１の手動型の充填器（充填ノズル）１６の第１動作を説明するための説明図である。
【０１０５】
図１２（ａ），（ｂ）に示す如く、実施の形態１の充填器（充填ノズル）１６の第１動作は、ユーザが片手で充填ノズル１６の握り部５０の把持体５１を把持しながら充填ノズル１６のソケット部２０内にプラグ１０を挿入したチャック状態になっている。
【０１０６】
このときの状態は、充填ノズル１６のソケット部２０内にプラグ１０に挿入したときに、プラグ１０及び充填ノズル１６それぞれは、先に図１１（ａ），（ｂ）示した初期状態と同じ状態を保っている。
【０１０７】
また、このとき、前述したように、中間筒体２１の先頭側に形成した複数の楕円孔２１ｃｇの軸方向の略中心（ボール２２の略中心）と、ソケット側ノズル２６の先端軸部２６ａの先端との間の距離Ｌ２は、プラグ本体１１の先端部１１ａと、テーパ付き凹溝１１ｃ３の中心部との間の距離Ｌ１よりも僅かに大きいので、ソケット側ノズル２６の先端軸部２６ａはプラグ側ノズル１２Ｐのテーパ状先端鍔部１２ａに当接していないので、両ノズル１２，２６は閉じたままである。
【０１０８】
（第２動作）
図１３は実施の形態１の手動型の充填器（充填ノズル）１６の第２動作を説明するための説明図である。
【０１０９】
図１３（ａ），（ｂ）に示す如く、実施の形態１の充填器（充填ノズル）１６の第２動作は、ユーザが片手で充填ノズル１６の握り部５０の把持体５１を把持しながらガンレバー６０を第１ストロークＳ１分だけ引いてガンレバー６０の１段階目の操作を行った状態である。
【０１１０】
このガンレバー６０は１段階目のストローク分であるＳ１により後方側に移動して、把持体５１の段部５１ｃに取り付けたノブ付きスイッチ５７に当接する。
【０１１１】
また、外側筒体３４の鍔部３４ｄとガンレバー６０との間に連結した連結棒６２も、ガンレバー６０の１段階目のストローク分であるＳ１により後方側に移動する。このため、外側筒体３４が第４の圧縮バネ３５の付勢力に抗して中間筒体２１の外周部に沿いながらストッパ用鍔部２１ｆに向かって摺動して、外側筒体３４の後端部３４ｂが中間筒体２１のストッパ用鍔部２１ｆに当接する。従って、外側筒体３４はこれ以上後方側への移動が規制される。
【０１１２】
また、連結棒６２と一緒に外側筒体３４が中間筒体２１の後方側に摺動すると、中間筒体２１の先頭側に形成した複数の楕円孔２１ｃｇ内に遊嵌している複数のボール２２が、外側筒体３４の先頭内周部３４ｆに形成したテーパ付き凹溝３４ｆ１内から外れてこの先頭内周部３４ｆの先頭側に当接して、複数のボール２２をプラグ本体１１のテーパ付き凹溝１１ｃ３内に押圧することになる。このため、複数のボール２２はプラグ本体１１のテーパ付き凹溝１１ｃ３内で動けなくなるので、充填ノズル１６をプラグ１０に確実にロックできる。
【０１１３】
このとき、中間筒体２１に収納された内側筒体２５は第３の圧縮バネ３２によって中間筒体２１内の後方側に移動したままの状態を保持しているので、プラグ本体１１内に収納したプラグ側ノズル１２Ｐ及び中間筒体２１内に収納したソケット側ノズル２６は共に閉じられたままである。
【０１１４】
一方、充填ノズル１６をプラグ１０にロックした後に、ユーザがガンレバー６０を初期状態に戻せば、連結棒６２を介して外側筒体３４を初期状態まで戻すことができる。
【０１１５】
（第３動作）
図１４は実施の形態１の手動型の充填器（充填ノズル）１６の第３動作を説明するための説明図である。
【０１１６】
図１４（ａ），（ｂ）に示す如く、実施の形態１の充填器（充填ノズル）１６の第３動作は、プラグ１０に充填ノズル１６をロックした後に、ガンレバー６０を更に第２ストロークＳ２分だけ引いてガンレバー６０の２段階目の操作により連結棒６２及びエアシリンダ部７０を介して内側筒体２５を第２ストロークＳ２分だけ前方に移動して第１，第２のノズル１２，２６を開く状態を示している。
【０１１７】
具体的には、ユーザは充填ノズル１６の把持体５１を片手で把持しながらガンレバー６０に対して２段階目の操作を行うと、ガンレバー６０は１段階目の操作後の２段階目のストローク分であるＳ２だけ後方側に移動して、ガンレバー６０で把持体５１に取り付けたノブ付きスイッチ５７を押し込む。
【０１１８】
そして、ガンレバー６０の２段階目の操作によりノブ付きスイッチ５７が押し込まれると、把持体５１内に設けた不図示のエアバルブが開き、不図示のポンプから送られたエアを、エアホース５６から把持体５１内を経てエアシリンダ７３の各前方側エア室内に押し込むようにピストン７４を作動させる。
【０１１９】
このとき、連結棒６２及びピストン７４を連結した外側筒体３４は、この鍔部３４ｄが中間筒体２１のストッパ用鍔部２１ｆに当接しているために、外側筒体３４は中間筒体２１の後方側に移動できない。
【０１２０】
一方、エアシリンダ部７０からのエア圧により外側筒体３４の鍔部３４ｄに対してこの外側筒体３４を中間筒体２１の後方側に摺動させる方向の力が印加されるが、鍔部３４ｄに印加されるエア圧による力は連結棒６２の長さを維持しようとする反力となり、この反力は外側筒体３４の鍔部３４ｄに連結した連結棒６２からガンレバー６０を経て把持体５１に伝わる。
【０１２１】
更に、把持体５１に伝わった反力は、把持体５１と一体な角型筒体４１を経て内側筒体２５に伝わるので、内側筒体２５は連結棒６２の長さを維持しようと第３の圧縮バネ３２に抗して中間筒体２１の中間内周部２１ｉ内の前方側に第２ストロークＳ２分だけ移動する。
【０１２２】
そして、内側筒体２５が中間筒体２１内の前方側に移動すると、内側筒体２５内に収納されたソケット側ノズル２６の先端軸部２６ａでプラグ本体１１内に収納されたプラグ側ノズル１２Ｐのテーパ状先端鍔部１２ａを押しながらソケット側ノズル２６の中間軸部２６ｃの後端が第２の圧縮バネ２９の付勢力に抗してソケット側ノズル軸受２８に当接することにより、ソケット側ノズル２６のテーパ状中間鍔部２６ｂと内側筒体２５のテーパ孔２５ｆとの間にガスを通す隙間が生じる。
【０１２３】
このときに、ソケット側ノズル２６の先端軸部２６ａが内側筒体２５の先端部２５ａよりも突出する長さは、先に図１１を用いて説明した初期状態時の長さＮ１よも短くなる。
【０１２４】
また、これと略同時に、ソケット側ノズル２６により押されたプラグ側ノズル１２Ｐの中間軸部１２ｂの後端が第１の圧縮バネ１５の付勢力に抗してプラグ側ノズル軸受１４に当接することにより、プラグ側ノズル１２Ｐのテーパ状先端鍔部１２ａとプラグ本体１１のテーパ孔１１ｄとの間に充填ノズル１６から送られたガスを通す隙間が生じる。
【０１２５】
これにより、プラグ１０に充填ノズル１６を確実にロックした後に、ガンレバー６０の２段階目の操作によりプラグ側ノズル１２Ｐ及びソケット側ノズル２６が共に開くために、プラグ１０に充填ノズル１６を係止させるまでの間ではガスの漏れがなく、且つ、プラグ１０に充填ノズル１６を係止させた後にガスを充填ノズル１６からプラグ１０に確実に通すことができる。
【０１２６】
更に、内側筒体２５を中間筒体２１内の前方側に移動させる駆動源として、エアシリンダ部７０によるエア圧を用い、このエア圧による力を外側筒体３４に印加することで、内側筒体２５を中間筒体２１内の前方側に確実に移動させることができる。
【０１２７】
尚、エアシリンダ部７０に代えて不図示の油圧シリンダ部を取り付けて油圧により内側筒体２５を中間筒体２１内の前方側に移動させても良い。
【０１２８】
従って、片手操作によりプラグ１０に信頼性良く連結できる実施の形態１の充填器（充填ノズル）１６を提供できる。
【０１２９】
＜実施の形態１における変形例のソケット部２０’について＞
図１５は実施の形態１における変形例のソケット部２０’を示した縦断面図である。
【０１３０】
図１５に示した実施の形態１における変形例のソケット部２０’は、先に図３,図８を用いて説明した実施の形態１におけるソケット部２０の構成と一部を除いて同様の構成であり、ここでは説明の便宜上、先に示した構成部材に対しては同一の符号を付し、且つ、先に示した構成部材は必要に応じて適宜説明し、先に示したソケット部２０に対して異なる構成部材に新たな符号を付して異なる点を中心にして説明する。
【０１３１】
この実施の形態１における変形例では、先に説明した実施の形態１の充填器（充填ノズル）１６（図１）に対してソケット部（先頭部品）２０’を交換可能に構成したものである。
【０１３２】
即ち、先に説明したソケット部２０（図３,図８）では、中間筒体２１の中間内周部２１ｉ及び後方内周部２１ｊ内に移動可能に設けた内側筒体２５内に収納されたソケット側ノズル（第２のノズル）２６や、中間筒体２１内に嵌め込んだＯリング２３及び内側筒体２５内に嵌め込んだＯリング３０などは、長期間使用していると耐久性が劣化する場合があり、この場合に充填ノズル１６全体を交換すると高価になってしまうので、充填ノズル１６のソケット部（先頭部品）だけを交換すれば安価となる。
【０１３３】
そこで、図１５に示した実施の形態１における変形例のソケット部２０’では、中間筒体２１の中間内周部２１ｉ及び後方内周部２１ｊ内に移動可能に設けた内側筒体２５が、第３の圧縮バネ３２に押されて中間筒体２１内の後方側から抜け出ないように抜け防止手段を施している。
【０１３４】
上記した抜け防止手段としては、中間筒体２１の後端部２１ｂの近傍の後方外周部２１ｅに抜け防止用長孔２１ｅ１を内側筒体２５の移動量に対して少し余裕を持った長さで貫通して形成し、この抜け防止用長孔２１ｅ１から内側筒体２５の後方外周部２５ｅに向けて抜け防止ピン３６を内側筒体２５内に突出しないように圧入している。
【０１３５】
従って、実施の形態１における変形例のソケット部２０’は、中間筒体２１と、中間筒体２１に形成した複数の楕円孔２１ｃｇ内にそれぞれ１個ずつ遊嵌された複数のボール２２と、中間筒体２１内を移動可能に設けられてソケット側ノズル（第２のノズル）２３を収納した内側筒体２５と、中間筒体２１の中間外周部２１ｄに沿って軸方向に摺動可能に設けられた外側筒体３４とが実施の形態１と同じ構成であるが、内側筒体２５が中間筒体２１内から抜け出るのを防止する抜け防止手段として中間筒体２１の抜け防止用長孔２１ｄ１及び抜け防止ピン３６を追加している。
【０１３６】
上記したソケット部２０’によれば、実施の形態１の充填ノズル１６の先頭側に設けたいくつかの部材の耐久性が劣化した場合に安価にソケット部（先頭部品）だけを交換することができる。
【０１３７】
更に、変形例のソケット部２０’を適用すれば、このソケット部２０’を充填ノズル１６の取付部４０に取り付ける時に組み立て作業を向上させることができる。
【０１３８】
[実施の形態２]
図１６は本発明に係る実施の形態２の充填器（充填ノズル）１８の全体構成を示した斜視図である。
【０１３９】
図１６に示した実施の形態２の充填器（充填ノズル）１８は、先に説明した実施の形態１の充填器（充填ノズル）１６の構成と一部を除いて同様の構成であり、ここでは説明の便宜上、先に示した構成部材に対して同一の符号を付し、且つ、先に示した構成部材は必要に応じて適宜説明し、実施の形態１とは異なる構成部材に新たな符号を付して説明する。
【０１４０】
図１６に示す如く、本発明に係る実施の形態２の充填器（充填ノズル）１８も、実施の形態１の充填器（充填ノズル）１６（図１）と同様に、ガスボンベＢの横に固定して取り付けられた雄型のプラグ１０に接続して用いる。
【０１４１】
上記した実施の形態２の充填器（充填ノズル）１８は、雄型のプラグ１０に挿着するための雌型のソケット部（チャック部ともいう）２０と、取付部４０と、握り部５０と、ガンレバー６０と、連結棒６２と等から構成されている点は、実施の形態１と同様である。
【０１４２】
しかしながら、実施の形態２の充填ノズル１８では、実施の形態１におけるエア圧で内側筒体２５を中間筒体２１内の前方側に移動させるための駆動源となるエアシリンダ部７０（図１）が設けられていなく、且つ、ノブ付きスイッチ（５７）に代えてガンレバー６０の操作に対してクリック感を付与するために進退自在なノブ５８がガンレバー６０と対向して把持体５１の段部５１ｃに取り付けられている点が実施の形態１に対して異なっているだけである。
【０１４３】
これにより、実施の形態２の充填ノズル１８は、実施の形態１の充填ノズル１６よりも簡素化を図ることができ、低価格化を図ることができる。
【０１４４】
＜動作説明＞
上記のように構成された実施の形態２の手動型の充填器（充填ノズル）１８の動作について、実施の形態１と異なる点を中心にして、以下に簡略に説明する。
【０１４５】
尚、実施の形態２における図１７〜図２０において、実施の形態１における図１１〜図１４と同じ動作する部材は同一符番を付して説明を省略する。
【０１４６】
（初期状態）
図１７は実施の形態２の手動型の充填器（充填ノズル）１８の初期状態を説明するための説明図である。
【０１４７】
図１７（ａ），（ｂ）に示す如く、実施の形態２の充填器（充填ノズル）１８が初期状態に至っているときには、ガンレバー６０がノブ５８に当接することなく解放されている状態であり、充填ノズル１８はガスボンベＢに取り付けたプラグ１０に差し込んでいない状態である。
【０１４８】
そして、実施の形態２における充填ノズル１８の初期状態時は、先に図１１を用いて説明した実施の形態１における充填ノズル１６の初期状態時と略同じ状態である。
【０１４９】
（第１動作）
図１８は実施の形態２の手動型の充填器（充填ノズル）１８の第１動作を説明するための説明図である。
【０１５０】
図１８（ａ），（ｂ）に示す如く、実施の形態２の充填器（充填ノズル）１８の第１動作は、ユーザが片手で充填ノズル１８の握り部５０の把持体５１を把持しながら充填ノズル１８のソケット部２０内にプラグ１０を挿入した状態である。
【０１５１】
そして、実施の形態２における充填ノズル１８の第１動作時は、先に図１２を用いて説明した実施の形態１における充填ノズル１６の第１動作と略同じ動作が行われる。
【０１５２】
（第２動作）
図１９は実施の形態２の手動型の充填器（充填ノズル）１８の第２動作を説明するための説明図である。
【０１５３】
図１９（ａ），（ｂ）に示す如く、実施の形態２の充填器（充填ノズル）１８の第２動作は、ユーザが片手で充填ノズル１８の握り部５０の把持体５１を把持しながらガンレバー６０を第１ストロークＳ１分だけ引いてガンレバー６０の１段階目の操作を行った状態である。
【０１５４】
そして、実施の形態２における充填ノズル１８の第２動作時は、先に図１３を用いて説明した実施の形態１における充填ノズル１６の第２動作と略同じ動作が行われる。この第２動作により、プラグ１０に充填ノズル１８がロックされる。
【０１５５】
（第３動作）
図２０は実施の形態２の手動型の充填器（充填ノズル）１８の第３動作を説明するための説明図である。
【０１５６】
図２０（ａ），（ｂ）に示す如く、実施の形態２の充填器（充填ノズル）１８の第３動作は、プラグ１０に充填ノズル１８をロックした後に、ガンレバー６０を更に第２ストロークＳ２分だけ引いてガンレバー６０の２段階目の操作により連結棒６２のみを介して内側筒体２５を第２ストロークＳ２分だけ前方に移動して第１，第２のノズル１２，２６を開く状態を示している。
【０１５７】
即ち、ユーザは充填ノズル１８の把持体５１を片手で把持しながらガンレバー６０に対して２段階目の操作を行うと、ガンレバー６０は１段階目の操作後の２段階目のストローク分Ｓ２だけ後方側に移動して、ガンレバー６０で把持体５１に取り付けたノブ５８をクリック感を持って押し込む。
【０１５８】
そして、ガンレバー６０の２段階目の操作を行ったときに、連結棒６２を連結した外側筒体３４は、この鍔部３４ｄが中間筒体２１のストッパ用鍔部２１ｆに当接しているために、外側筒体３４は中間筒体２１の後方側に移動できない。
【０１５９】
一方、外側筒体３４の鍔部３４ｄには、連結棒６２の長さを維持しようとする反力が加わり、この反力は外側筒体３４の鍔部３４ｄに連結した連結棒６２の一端側からガンレバー６０に連結した連結棒６２の他端側に伝達されて、ガンレバー６０を経て把持体５１に伝わる。
【０１６０】
更に、把持体５１に伝わった反力は、把持体５１と一体な角型筒体４１を経て内側筒体２５に伝わるので、内側筒体２５は連結棒６２の長さを維持しようと第３の圧縮バネ３２に抗して中間筒体２１の中間内周部２１ｉ内の前方側に第２ストロークＳ２分だけ移動する。
【０１６１】
そして、内側筒体２５が中間筒体２１内の前方側に移動すると、内側筒体２５内に収納されたソケット側ノズル２６の先端軸部２６ａでプラグ本体１１内に収納されたプラグ側ノズル１２Ｐのテーパ状先端鍔部１２ａを押しながらソケット側ノズル２６の中間軸部２６ｃの後端が第２の圧縮バネ２９の付勢力に抗してソケット側ノズル軸受２８に当接することにより、ソケット側ノズル２６のテーパ状中間鍔部２６ｂと内側筒体２５のテーパ孔２５ｆとの間にガスを通す隙間が生じる。
【０１６２】
これと略同時に、ソケット側ノズル２６により押されたプラグ側ノズル１２Ｐの中間軸部１２ｂの後端が第１の圧縮バネ１５の付勢力に抗してプラグ側ノズル軸受１４に当接することにより、プラグ側ノズル１２Ｐのテーパ状先端鍔部１２ａとプラグ本体１１のテーパ孔１１ｄとの間にガスを通す隙間が生じる。
【０１６３】
即ち、実施の形態２の充填器１８によれば、握り部５０とガンレバー６０とを持ちながらソケット部２０の先端部をガスボンベＢのプラグ１０に嵌合して、ガンレバー６０を引いていくと、外側筒体３４が後方に第１の反発力で移動していって中間筒体２１の先端部のチャック部のボール２２を押すので、このため、ガスボンベＢに取り付けたプラグ１０と、充填器１８のソケット部２０とが嵌合される。
【０１６４】
そして、さらにガンレバー６０を引いていくと、ソケット部２０はプラグ１０に嵌合されているので、第２の反発力（第２の反発力＞第１の反発力）を与えながら内側筒体２５が前方に移動してこの内側筒体２５の先端部内の凸軸付ストップバルブ２６がプラグ１０のバルブ１２を押しながら、開いていくので、ガスがボンベＢに容易に供給される。
【０１６５】
従って、片手でも容易に車両に搭載されたプロパンガスボンベにガスを供給できる。また、ガスの供給状態となるときは第２の反発力を感じさせるので、作業員は注意しながら供給させることができる。
【０１６６】
また、プラグ１０に充填ノズル１８を確実にロックした後に、ガンレバー６０の２段階目の操作によりプラグ側ノズル１２Ｐ及びソケット側ノズル２６が共に開くために、プラグ１０に充填ノズル１８を係止させるまでの間ではガスの漏れがなく、且つ、プラグ１０に充填ノズル１８を係止させた後にガスを充填ノズル１８からプラグ１０に確実に通すことができる。
【０１６７】
更に、内側筒体２５を中間筒体２１内の前方側に移動させる駆動源としては連結棒６２のみであるので、実施の形態２の充填器（充填ノズル）１８の構造が簡単である。
【０１６８】
[実施の形態３]
図２１は実施の形態３の手動型の充填器（充填ノズル）３００の斜視図である。
【０１６９】
図２１に示すように、実施の形態３の手動型の充填器（充填ノズル）３００は、先に図１６を用いて説明した実施の形態２の手動型の充填器（充填ノズル）１８の改良型であり、この実施の形態３ではガンレバー５０２の操作がスムーズに動作するように改良を施している。
【０１７０】
上記した実施の形態３の手動型の充填器（充填ノズル）３００では、内側筒体（ノズル収納用筒体）２５０に中間筒体（ソケット用筒体）２１０を被せ、この中間筒体２１０に外側筒体（摺動用筒体）３４０を被せている。
【０１７１】
そして、中間筒体２１０，内側筒体２５０，外側筒体３４０とで筒摺動部が構成されている。
【０１７２】
また、内側筒体２５０の後端部に握り部５００の一部である取付部５０３を固着している。
【０１７３】
また、内側筒体２５０の内周には、雌ネジ２５３（図２２）を形成して接続治具６００を連結可能にしている。
【０１７４】
この接続治具６００は、ガス挿通用のゴムホース６０５を連結するための筒管６０４と、この筒管６０４を連結するための筒管６０３と、この筒管６０３を連結するための筒管６０２等から構成されている。
【０１７５】
また、筒管６０２の先端側には接続ネジ部材６０６が設けられ、この接続ネジ部材６０６を回転させて内側筒体２５０の後端部に接続させている。また、接続治具６００にはバルブ６０１が設けられ、このバルブ６０１を開閉してガスを注入する。
【０１７６】
また、外側筒体３４０には摺動補助ブラケット３４４が設けられている。この摺動補助ブラケット３４４は、外側筒体３４０の外周に設けられた鍔３４４ａと鍔３４４ｂとを例えば５ｃｍ程度の間隔で周設し、さらにこれらの鍔３４４ａ，３４４ｂ間の上方部位を連結板３４４ａｂで連結していると共に、鍔３４４ａ，３４４ｂ間の下方部位に帆方状の平板３４４ｃを鉛直方向に拡張させて接続している。
【０１７７】
また、外側筒体３４０は、摺動補助ブラケット３４４よりも後方に鍔部３４０ｄが外周部よりも大径に形成されている。
【０１７８】
そして、外側筒体３４０の外周部と、鍔部３４０ｄの左側面部位とに、摺動補助ブラケット３４４が溶接などにより一体的に固着されている。
【０１７９】
さらに、握り部５００は、上部に内径が内側筒体２５０の後端部の外径にされた取付部５０３を備え、この内周が内側筒体２５０の後端部の外周囲に固着されている。
【０１８０】
また、握り部５００にはガンレバー５０２を保持するための保持部材５０１が設けられている。この保持部材５０１には、ガンレバー５０２の上部を回動自在に固定するネジ付きピン部５０１ａを備えている。
【０１８１】
さらに、外側筒体３４０に固着させた摺動補助ブラケット３４４のうちで鉛直方向に拡張させた平板３４４ｃと、ガンレバー５０２とは、連結棒７００によって連結されている。この連結棒７００は、平板３４４ｃの下端右方に設けられたネジ付きピン部３４４ｃａによって一方が固着され、他方がガンレバー５０２に設けられたネジ付きピン部５０２ａによって固着されている。
【０１８２】
この際、ガンレバー５０２を操作したときに連結棒７００が外側筒体３４４と略平行に移動するように、連結棒７００を鉛直方向に拡張させた平板３４４ｃの下方部位とガンレバー５０２の上端より少し下方部位との間で連結させることにより、ガンレバー５０２の操作がスムーズに動作できるように改良を施している。
【０１８３】
図２２は実施の形態３の手動型の充填器（充填ノズル）３００の断面図である。図２２においては、プラグ１０に実施の形態３の手動型の充填器（充填ノズル）３００を嵌め込んだ状態を示している。
【０１８４】
すなわち、本実施の形態３の手動型の充填器（充填ノズル）３００は、図２２の断面図に示すように筒摺動部が中間筒体２１０と内側筒体２５０と外側筒体３４０とによる多層構造であり、筒摺動部の各筒体が段階的に摺動するように構成されている。
【０１８５】
以下、中間筒体２１０，内側筒体２５０，外側筒体３４０について順に簡略に説明する。
【０１８６】
｛中間筒体（ソケット用筒体）２１０｝
中間筒体（ソケット用筒体）２１０は、図４と同様に、先端部と後段部とで構成され、先端部の内径はプラグ１０の外径Ｈａにされている。また、先端部の外径はＨｄにされている（ボール２２の直径の１／３又は１／４程度の厚み分だけ径が大きい）。さらに、この先端部から直ぐに外径がＨｉにされて後段に至るようにされている。
【０１８７】
さらに、中間筒体２１０の後ろ側には、さらに径が大きいストッパ用鍔部（凸部）２１０ｆを設けている。
【０１８８】
｛内側筒体（ノズル収納用筒体）２５０｝
内側筒体（ノズル収納用筒体）２５０は、内部にソケット側ノズル（第２のノズル；凸軸付ストップバルブ）２６を収納した状態で、実施の形態２における内側筒体２５（図１６)よりも長く形成されて、その後端部の内周に雌ネジ２５３が形成されている。
【０１８９】
また、内側筒体２５０の先端部２５０ａの外径は前述した中間筒体２１０の先端側の内周の内径Ｈａにされている。そして、内側筒体２５０は外径がＨｉ（例えば５ｃｍ程度）にされて、さらに大きな外径の鍔（凸部）２５１を形成して、再びＨｉとなって後段に至る。
【０１９０】
｛外側筒体（摺動用筒体）３４０｝
外側筒体（摺動用筒体）３４０は、先頭の内径がＨｄにされ、チャック部分（Ｓ１ａ）を経過後はＨｆにされている。また、外側筒体３４０の後方に形成した鍔部３４０ｄと、中間筒体２１０の鍔２１０ｆとの間の距離は、Ｓ１程度になるようにしている。
【０１９１】
さらに、中間筒体２１０の鍔２１０fと内側筒体２５０の鍔２５１との距離はＳ２（Ｋｃ）にされている。そして、Ｋａにはバネ３５、Ｋｂにはバネ３２を嵌め込んでいる。
【０１９２】
従って、図２２に示すように、プラグ１０に充填ノズル３００をロックした後に、図２３に示すように、ガンレバー５０２の１段階目の操作後（外側筒体３４０がＳ１移動）にさらにガンレバー５０２を引くと、２段階目のストローク分Ｓ２（Ｋｃ）だけ内側筒体２５０が前方側に移動する。
【０１９３】
このため、内側筒体２５０内に収納したソケット側ノズル（凸軸付ストップバルブ）２６がプラグ１０のプラグ側ノズル１２Ｐを押し込む。
【０１９４】
これにより、ガスを充填ノズル３００からプラグ１０に確実に通すことができる。
【０１９５】
尚、実施の形態３の充填器（充填ノズル）３００において、中間筒体２１０，内側筒体２５０，外側筒体３４０，接続治具６００などは、真鍮又はアルミ材で形成するのが好ましい。
【０１９６】
尚更に、本発明に係る手動型の充填器（充填ノズル）では、実施の形態１，２，３に限定されることなく、プラグは気体又は液体を通す開閉可能な第１のノズルと、充填ノズル被係止手段とを有し、充填器（充填ノズル）は、気体又は液体を通す開閉可能な第２のノズルと、プラグ係止手段と、片手で把持できる把持体と、片手で２段階操作可能なガンレバーとを有した上で、ガンレバーの初期状態でプラグに充填器を連結した後に、ガンレバーの１段階目の操作により充填器のプラグ係止手段を作動して、このプラグ係止手段をプラグの充填ノズル被係止手段に係止させ、その後、ガンレバーの２段階目の操作で第１，第２のノズルを開くことができる構造であれば良いものである。
【符号の説明】
【０１９７】
１０  プラグ、
１１  プラグ本体
１１ｃ  外周部
１１ｃ３  第１の凹溝（テーパ付き凹溝）
１２  第１のノズル（プラグ側ノズル）
１２ｂ  中間軸部
１３  第１の軸受支持部材
１５  第１の圧縮バネ、
２０  ソケット部
２１  中間筒体
２１ｃ  先頭外周部
２１ｆ  ストッパ用鍔部
【図１】
0006482238.tif 000002
【図２】
0006482238.tif 000003
【図３】
0006482238.tif 000004
【図４】
0006482238.tif 000005
【図５】
0006482238.tif 000006
【図６】
0006482238.tif 000007
【図７】
0006482238.tif 000008
【図８】
0006482238.tif 000009
【図９】
0006482238.tif 000010
【図１０】
0006482238.tif 000011
【図１１】
0006482238.tif 000012
【図１２】
0006482238.tif 000013
【図１３】
0006482238.tif 000014
【図１４】
0006482238.tif 000015
【図１５】
0006482238.tif 000016
【図１６】
0006482238.tif 000017
【図１７】
0006482238.tif 000018
【図１８】
0006482238.tif 000019
【図１９】
0006482238.tif 000020
【図２０】
0006482238.tif 000021
【図２１】
0006482238.tif 000022
【図２２】
0006482238.tif 000023
【図２３】
0006482238.tif 000024